(57)【要約】【課題】ケーブルの敷設工事のプラン作成のための現場下見で図面等に記入することなく、短時間で施工後の画像を作成できるようにする。【解決手段】ケーブルを敷設する経路に沿ってビデオカメラ１０を移動させながら敷設経路をビデオカメラ１０により連続的な動画像として撮影し、敷設経路のビデオカメラ１０により撮影した動画像を二次元の静止画像として画面展開した二次元経路画像を端末２０の表示部に表示し、部材イメージデータベース２０１に格納された部材から選択したもののイメージを二次元経路画像に貼り付け、敷設経路が存在する敷設現場の平面図画像を表示部に表示し、部材のイメージを貼り付けた二次元経路画像を敷設現場の平面図画像に重ねた施工後図面を表示部に表示し、この二次元敷設図、敷設現場の設計データおよび部材のデータから敷設工事費の見積もりを算出する。【選択図】　　　図１
2004013722.tif 000002
【特許請求の範囲】
【請求項１】
敷設物を敷設する経路に沿ってビデオカメラを移動させながら前記経路を前記ビデオカメラにより連続的な動画像として撮影し、前記経路の前記ビデオカメラにより撮影した動画像を二次元の静止画像として画面展開した二次元経路画像を画面に表示し、部材イメージデータベースに格納された部材から選択したもののイメージを前記二次元経路画像に貼り付けることを特徴とする敷設工事評価方法。
【請求項２】
敷設物を敷設する経路に沿ってビデオカメラを移動させながら前記経路を前記ビデオカメラにより連続的な動画像として撮影し、前記経路の前記ビデオカメラにより撮影した動画像を二次元の静止画像として画面展開した二次元経路画像を画面に表示し、部材イメージデータベースに格納された部材から選択したもののイメージを前記二次元経路画像に貼り付け、前記経路が存在する敷設現場の平面図画像を画面に表示し、部材のイメージを貼り付けた前記二次元経路画像を前記敷設現場の平面図画像に重ねて表示することを特徴とする敷設工事評価方法。
【請求項３】
敷設物を敷設する経路に沿ってビデオカメラを移動させながら前記経路を前記ビデオカメラにより連続的な動画像として撮影し、前記経路の前記ビデオカメラにより撮影した動画像を二次元の静止画像として画面展開した二次元経路画像を画面に表示し、部材イメージデータベースに格納された部材から選択したもののイメージを前記二次元経路画像に貼り付け、前記経路が存在する敷設現場をカメラで撮影し、このカメラによる撮影像を転換した敷設現場の平面図画像を画面に表示し、部材のイメージを貼り付けた前記二次元経路画像を前記敷設現場の平面図画像に重ねて表示することを特徴とする敷設工事評価方法。
【請求項４】
敷設物を敷設する経路に沿ってビデオカメラを移動させながら前記経路を前記ビデオカメラにより連続的な動画像として撮影し、前記経路の前記ビデオカメラにより撮影した動画像を二次元の静止画像として画面展開した二次元経路画像を画面に表示し、部材イメージデータベースに格納された部材から選択したもののイメージを前記二次元経路画像に貼り付け、前記経路が存在する敷設現場の平面図画像を画面に表示し、部材のイメージを貼り付けた前記二次元経路画像を前記敷設現場の平面図画像に重ねた施工後図面を画面に表示し、この施工後図面、敷設現場の設計データおよび前記部材のデータから敷設工事費の見積もりを算出することを特徴とする敷設工事評価方法。
【請求項５】
前記敷設物は、ケーブルであることを特徴とする請求項１〜４に記載の敷設工事評価方法。
【請求項６】
ビデオカメラと、敷設物を敷設する経路に沿って前記ビデオカメラを移動させながら前記ビデオカメラにより撮影した前記経路の連続的な動画像を二次元の静止画像からなる二次元経路画像に変換する画面展開手段と、前記二次元経路画像を表示する画面と、敷設に用いられる部材のイメージを格納した部材イメージデータベースと、この部材イメージデータベースに格納された部材から選択したもののイメージを前記二次元経路画像に貼り付ける部材貼り付け手段とを含むことを特徴とする敷設工事評価システム。
【請求項７】
ビデオカメラと、敷設物を敷設する経路に沿って前記ビデオカメラを移動させながら前記ビデオカメラにより撮影した前記経路の連続的な動画像を二次元の静止画像からなる二次元経路画像に変換する画面展開手段と、前記二次元経路画像を表示する画面と、敷設に用いられる部材のイメージを格納した部材イメージデータベースと、この部材イメージデータベースに格納された部材から選択したもののイメージを前記二次元経路画像に貼り付ける部材貼り付け手段と、前記経路が存在する敷設現場の平面図画像に前記二次元経路画像を重ねた施工後図面を前記画面に表示する施工後図面表示手段と、前記敷設現場の設計データを格納する構造物および内装データベースと、前記部材の価格および設置工費を格納した費用積算データベースと、前記施工後図面に基づき前記設計データならびに前記部材の価格および設置工費を用いて敷設物を敷設するための費用を算出する積算手段とを含むことを特徴とする敷設工事評価システム。
【請求項８】
ビデオカメラと、
敷設物を敷設する経路に沿って前記ビデオカメラを移動させながら前記ビデオカメラにより撮影した前記経路の連続的な動画像を二次元の静止画像からなる二次元経路画像に変換する画面展開手段と、前記二次元経路画像を表示する画面と、敷設に用いられる部材のイメージを格納した部材イメージデータベースと、この部材イメージデータベースに格納された部材から選択したもののイメージを前記二次元経路画像に貼り付ける部材貼り付け手段と、前記経路が存在する敷設現場の平面図画像に前記二次元経路画像を重ねた施工後図面を前記画面に表示する施工後図面表示手段とを備えた端末と、
前記敷設現場の設計データを格納する構造物および内装データベースと、前記部材の価格および設置工費を格納した費用積算データベースと、前記施工後図面に基づき前記設計データならびに前記部材の価格および設置工費を用いて敷設物を敷設するための費用を算出する積算手段とを備えたシミュレーションシステムと含み、
前記ビデオカメラと前記端末とがローカルケーブルで接続され、前記端末と前記シミュレーションシステムとがネットワークを介して接続されることを特徴とする敷設工事評価システム。
【請求項９】
前記敷設物は、ケーブルである請求項６、７または８に記載の敷設工事評価システム。
【発明の詳細な説明】
【０００１】
【発明の属する技術分野】
本発明は、敷設工事評価方法およびシステムに関し、特に室内に配置された複数のコンピュータの接続用のケーブルの敷設工事を計画し、工事結果を事前に評価し、費用を見積もるための方法およびシステムに関する。
【０００２】
【従来の技術】
従来、客先のオフィスが使用するフロアーに配置された複数のコンピュータの接続用のケーブルを敷設工事をするために、業者が現場下見を行う際には、フロアーの平面図等へ顧客が希望する情報を手作業で書き込んだり、現場写真を撮影したり、イラストを描いたりして情報を集める必要があり、現地下見に多くの工数を費やしていた。
【０００３】
尚且つ、集めた情報を自社に持ち帰り、敷設ケーブルの図面を作り、敷設の施工内容を把握し、次にその施工に掛かる工事費を積算して見積書を作成した後に、改めて客先へ訪問し、施工図、見積書を提出していた。
【０００４】
従って、極めて小型な工事であっても多くの日数を費やして敷設工事の施工プランを客先に提案している。また、施工図では、敷設ケーブルの具体的な形態が示されている訳ではないので、顧客が施工図を誤解し、顧客が想像した敷設ケーブルのイメージと実際に敷設されるケーブルの形態に相違が発生することもあり、施工図では顧客が正確かつ適切な評価ができず、トラブルの元となることもあった。
【０００５】
【発明が解決しようとする課題】
本発明は、上述の従来のケーブル敷設の施工図の作成による客先への施工プランの提供における欠点を改善するものである。
【０００６】
【課題を解決するための手段】
本発明の敷設工事評価方法は、敷設物（図６の１０３）を敷設する経路（図６の１１５〜１１８）に沿ってビデオカメラ（図１の１０）を移動させながら前記経路を前記ビデオカメラにより連続的な動画像として撮影し、前記経路の前記ビデオカメラにより撮影した動画像を二次元の静止画像として画面展開した二次元経路画像を画面に表示し、部材イメージデータベース（図１の２０１）に格納された部材から選択したもののイメージを前記二次元経路画像に貼り付けることを特徴とする。
【０００７】
本発明の敷設工事評価方法は、敷設物（図６の１０３）を敷設する経路（図６の１１５〜１１８）に沿ってビデオカメラ（図１の１０）を移動させながら前記経路を前記ビデオカメラにより連続的な動画像として撮影し、前記経路の前記ビデオカメラにより撮影した動画像を二次元の静止画像として画面展開した二次元経路画像を画面に表示し、部材イメージデータベース（図１の２０１）に格納された部材から選択したもののイメージを前記二次元経路画像に貼り付け、前記経路が存在する敷設現場の平面図画像（図５）を画面に表示し、部材のイメージを貼り付けた前記二次元経路画像を前記敷設現場の平面図画像に重ねて表示することを特徴とする。
【０００８】
本発明の敷設工事評価方法は、敷設物（図６の１０３）を敷設する経路（図６の１１５〜１１８）に沿ってビデオカメラ（図１の１０）を移動させながら前記経路を前記ビデオカメラにより連続的な動画像として撮影し、前記経路の前記ビデオカメラにより撮影した動画像を二次元の静止画像として画面展開した二次元経路画像を画面に表示し、部材イメージデータベース（図１の２０１）に格納された部材から選択したもののイメージを前記二次元経路画像に貼り付け、前記経路が存在する敷設現場をカメラで撮影し、このカメラによる撮影像を転換した敷設現場の平面図画像（図５）を画面に表示し、部材のイメージを貼り付けた前記二次元経路画像を前記敷設現場の平面図画像に重ねて表示することを特徴とする。
【０００９】
本発明の敷設工事評価方法は、敷設物（図６の１０３）を敷設する経路（図６の１１５〜１１８）に沿ってビデオカメラ（図１の１０）を移動させながら前記経路を前記ビデオカメラにより連続的な動画像として撮影し、前記経路の前記ビデオカメラにより撮影した動画像を二次元の静止画像として画面展開した二次元経路画像を画面に表示し、部材イメージデータベース（図１の２０１）に格納された部材から選択したもののイメージを前記二次元経路画像に貼り付け、前記経路が存在する敷設現場の平面図画像（図５）を画面に表示し、部材のイメージを貼り付けた前記二次元経路画像を前記敷設現場の平面図画像に重ねた施工後図面（図６）を画面に表示し、この施工後図面、敷設現場の設計データおよび前記部材のデータから敷設工事費の見積もりを算出することを特徴とする。
【００１０】
上述の敷設工事評価方法において前記敷設物は、例えばケーブル（図６の１０３）とすることができる。
【００１１】
本発明の敷設工事評価システムは、ビデオカメラ（図１の１０）と、敷設物（図６の１０３）を敷設する経路（図１の１１５〜１１８）に沿って前記ビデオカメラを移動させながら前記ビデオカメラにより撮影した前記経路の連続的な動画像を二次元の静止画像からなる二次元経路画像に変換する画面展開手段（図１の２０）と、前記二次元経路画像を表示する画面と、敷設に用いられる部材のイメージを格納した部材イメージデータベース（図１の２０１）と、この部材イメージデータベースに格納された部材から選択したもののイメージを前記二次元経路画像に貼り付ける部材貼り付け手段（図１の２０）とを含むことを特徴とする。
【００１２】
本発明の敷設工事評価システムは、ビデオカメラ（図１の１０）と、敷設物（図６の１０３）を敷設する経路（図６の１１５〜１１８）に沿って前記ビデオカメラを移動させながら前記ビデオカメラにより撮影した前記経路の連続的な動画像を二次元の静止画像からなる二次元経路画像に変換する画面展開手段（図１の２０）と、前記二次元経路画像を表示する画面と、敷設に用いられる部材のイメージを格納した部材イメージデータベース（図１の２０１）と、この部材イメージデータベースに格納された部材から選択したもののイメージを前記二次元経路画像に貼り付ける部材貼り付け手段（図１の２０）と、前記経路が存在する敷設現場の平面図画像（図５）に前記二次元経路画像を重ねた施工後図面（図６）を前記画面に表示する施工後図面表示手段と、前記敷設現場の設計データを格納する構造物および内装データベース（図１の３０２）と、前記部材の価格および設置工費を格納した費用積算データベース（図１の３０３）と、前記施工後図面に基づき前記設計データならびに前記部材の価格および設置工費を用いて敷設物を敷設するための費用を算出する積算手段（図１の３０１）とを含むことを特徴とする。
【００１３】
本発明の敷設工事評価システムは、
ビデオカメラ（図１の１０）と、
敷設物（図６の１０３）を敷設する経路（図６の１１５〜１１８）に沿って前記ビデオカメラを移動させながら前記ビデオカメラにより撮影した前記経路の連続的な動画像を二次元の静止画像からなる二次元経路画像に変換する画面展開手段と、前記二次元経路画像を表示する画面と、敷設に用いられる部材のイメージを格納した部材イメージデータベースと、この部材イメージデータベースに格納された部材から選択したもののイメージを前記二次元経路画像に貼り付ける部材貼り付け手段と、前記経路が存在する敷設現場の平面図画像（図５）に前記二次元経路画像を重ねた施工後図面（図６）を前記画面に表示する施工後図面表示手段とを備えた端末（図１の２０）と、
前記敷設現場の設計データを格納する構造物および内装データベース（図１の３０２）と、前記部材の価格および設置工費を格納した費用積算データベース（図１の３０３）と、前記施工後図面に基づき前記設計データならびに前記部材の価格および設置工費を用いて敷設物を敷設するための費用を算出する積算手段とを備えたシミュレーションシステム（図１の３０）と含み、
前記ビデオカメラと前記端末とがローカルケーブルで接続され、前記端末と前記シミュレーションシステムとがネットワーク（図１の１００）を介して接続されることを特徴とする。
【００１４】
上述の敷設工事評価システムにおいて前記敷設物は、例えばケーブル（図６の１０３）とすることができる。
【００１５】
【発明の実施の形態】
本発明の実施の形態について図面を参照して説明する。
【００１６】
図１は、本発明の実施の形態の敷設工事評価システムのブロック図である。
【００１７】
図１に示す敷設工事評価システムは、ビデオカメラ１０、端末２０およびシミュレーション・システム３０で構成されており、ビデオカメラ１０と端末２０とはローカルケーブルで接続され、端末２０とシミュレーション・システム３０とはインターネット１００を介して接続されている。
【００１８】
ビデオカメラ１０は、デジタルビデオカメラであり、施工現場を撮影しローカルケーブルで接続した端末２０へ撮影映像データを転送する。
【００１９】
端末２０は、携帯型ノートパソコンであり、液晶表示装置等の表示部およびキーボード等の入力部のほか部材イメージデータベース２０１を含む。部材イメージデータベース２０１には、敷設工事に使用される各種の部材を実写したイメージを格納しておく。ビデオカメラ１０で撮影されたデータを端末２０の表示部に画面展開することができ、部材イメージのデータベース２０１より工事部材のイメージを撮影映像が画面展開されている画面に貼り合わせ、施工イメージを画面上で表現する機能を備えている。
【００２０】
また、端末２０は、インターネット１００を介してシミュレーション・システム３０への接続機能、シミュレーション・システム３０より最適施工シミュレーションデータとその施工工事見積データを受信することで最適な施工シミュレーションを画面上で表現し見積書の発行、レイアウト図面の印刷機能も備えている。
【００２１】
シミュレーション・システム３０は、情報処理装置３０１、構造物および内装のデータベース３０２および見積積算データベース３０３を保有し、端末２０よりインターネット１００を介して受信したビデオカメラ１０で撮影し、端末２０で加工された施工イメージデータを情報処理装置３０１が自動解析し、構造物および内装データベース３０２のデータを参照して最適なケーブル配線施工のシミュレーションを作成する機能、現状のフロアーレイアウト図及び最適な施工シミュレーションされた配線図を作成する機能と、その工事費用を見積積算データベース３０３のデータを参照して積算し見積書を作成する機能を有する。
【００２２】
次に、オフィスフロアーでのケーブル敷設を例に、図２および図３のフローチャートを参照して本発明の実施の形態の敷設工事評価方法の手順を詳細に説明する。
【００２３】
まず、システム利用者はビデオカメラ１０でケーブル敷設現場の撮影を行う前に尺度合わせを実施する（ステップＳ１）。例えば、現場撮影として床面を撮影する場合には、予め撮影時のビデオカメラ１０の床面からの高さを設定しておき、尺度合わせは、床面に置いたメジャーを撮影し、その撮影画像の端末２０の表示部の大きさとメジャーが示す実寸との比を尺度比と端末２０に入力し、記憶させておく。この尺度合わせにより、表示部に表示される画像の大きさから十寸を換算できる。なお、床面からの高さと共にビデオカメラ１０のレンズの倍率等を一定に設定しておき、常に尺度比が一定になるようにビデオカメラ１０を使用すれば、尺度合わせを現場撮影ごとにする必要はない。
【００２４】
尺度合わせ後、ビデオカメラ１０で施工対象となるフロアー全体の撮影を行う（ステップＳ２）。この撮影でフロアー図面の作図が可能となる。
【００２５】
次に、施工目的である敷設の経路に沿った詳細な現場撮影を実施する。この現場撮影は、ケーブル敷設始点から末端終点までをビデオカメラ１０を床面から一定の高さに保って一定速度で移動させながら撮影する（ステップＳ３）。ケーブル敷設経路の曲がり角では、撮影時にポイントボタンを操作することでコーナーポイントを記録する。この現場撮影と同日に施工プランを顧客に提案する場合は（ステップＳ４）、ビデオカメラ１０の撮影、録画終了後、ビデオカメラ１０を端末２０へローカルケーブルで接続することで現場録画したデータを端末２０へデジタル転送する（ステップＳ５）。
【００２６】
端末２０は、ビデオカメラ１０からデジタル転送で取り込んだデータを内蔵のソフトウェアにより画像展開し、表示部に表示する（ステップＳ６）。ビデオカメラ１０の撮影画像は、撮影フレームごとに撮影場所が移動する時間と共に画像が変化する動画像（床面等の撮影対象物そのものは原則として静止したもの）であるが、端末２０では、現場撮影したケーブル敷設経路の全体を２次元の静止画像として表示部に表示する。なお、静止画像といっても端末２０の操作により、縮小画像としてフロアー全体におけるケーブル敷設経路の全てを一画面に表示することも、拡大画像として画面にケーブル敷設経路の一部分のみを表示することもでき、スクロール機能によりその一部分を移動させて画面上に表示することも可能である。
【００２７】
この画像展開は、例えばビデオカメラ１０を一定速度で移動させながら床面を撮影してゆく場合に、最初のフレームの信号を全て画像として端末２０の記憶装置に格納し、２番目以降のフレームについては、ビデオカメラ１０の移動速度から計算できる前のフレームからずれた分だけを既に記憶している画像に加えていけばよい。
【００２８】
このように端末２０の表示部に現場撮影した実写画像を画面展開する。この実写表示により、顧客とより現実に近いケーブル配線を認識しながらの施工打ち合わせを行うことができる。
【００２９】
例えば、ケーブル敷設経路の画像を見ながら、業者と顧客との間で「ここのケーブル保護はメタルで・・・・いやプラスチックモールで・・・・ラックを置くと・・・・等々」の意見を交換しながら、端末２０内蔵の部材イメージデータベース２０１より使用とする部材の実写イメージを読み出し、表示部に表示された画像に位置および尺度比を合わせて張り合わせることより現実に近いイメージを画面上に展開し、視覚的に確認できる。部品の実写イメージを張り合わせた結果が視覚的に満足できないものならば、部品イメージデータベース２０１より他の部品の実写イメージを取り出してきて交換してそれらの良否を検討することもできる（ステップＳ７）。顧客が合意するまで部品イメージデータベース２０１から各種の部品のイメージを読み出してきてケーブル敷設経路の画像に貼り付ける作業を繰り返す（ステップＳ８）。合意が達成された部品イメージが貼り付けられたケーブル敷設経路の画像は、端末２０の記憶装置に記憶しておく。
【００３０】
シミュレーション・システム３０は、ステップ２で撮影したフロアー全体の画像を端末２０およびインターネット１００を介して受信し、この画像からフロアー全体の平面図を作成する。もっとも、撮影した画像を用いることなく、構造物および内装データベース３０２等から読み出したデータを用いてフロアー全体の平面図を作成できる場合もある。さらにシュミレーション・システム３０は、この平面図をインターネット１００を介して端末２０に送り、端末２０の表示部に表示する。表示されたフロアーの平面図に部品イメージが貼り付けられたケーブル敷設経路の画像を貼り付ける。
【００３１】
画像で表現できない天井裏等の壁貫通部分等はそのポイント毎に画面上にポイントマーク（端末２０に備えたマウスのクリックにより指示）を付け「貫通」表示をさせ、部品イメージ付のケーブル敷設経路が貼り付けられた平面図の画像データに書き込む（これを施工後図面と称する。図６参照）。
【００３２】
ネットワークや電源ケーブル配線時には、端末２０で簡易配線系統図（図４）を作成し、施工後図面と併せてインターネット１００を経由し、業者の営業所に設置されているシミュレーション・システム３０へ送信する（ステップＳ９）。
【００３３】
シミュレーションシステム３０は、端末２０よりインターネット１００を介して受け取った施工後図面と配線系統図とを、情報処理装置３０１で、端末２０で付加されたデータ（部材データ、貫通ポイントデータ）を自動解析し（ステップＳ１０）、構造物および内装データベース３０２のデータと照らし合わせ最適な施工プランのシミュレーションによる最適施工プラン書を作成する（ステップＳ１２）。
【００３４】
また、併せて施工前の現状レイアウト図（図５参照、既に作成済みのフロアーの平面図を用いることができる。）と構造物および内装データベースのデータを参照した最適な施工後図面も作成する（ステップＳ１１）。
【００３５】
次に、最適な施工プランが出来上がると情報処理装置３０１はこの施工プランの工事費を自動的に積算処理を行う。各部材費、ケーブル長や使用部材数量等を見積積算データベース３０３より照らし合わせて求め、労務量を算出し、全体の見積を作成する（ステップＳ１３）。
【００３６】
作成された最適施工プラン書、施工前図面、施工後図面、見積書（図７）をシミュレーションシステム３０はインターネット１００を介して端末２０へ自動返送を行う（ステップＳ１４）。
【００３７】
端末２０は、シミュレーションシステム３０より返信された最適施工プラン書、施工前図面、施工後図面、見積書を表示部に表示し（ステップＳ１５）、顧客に見てもらい最終的に合意を確認する（ステップＳ１６）。合意が得られなければ、ステップ７に戻り、部材の選択からやり直す。
【００３８】
なお、ケーブル敷設経路の現場撮影と同日に施工プランを顧客に提案しない場合は（ステップＳ４）、顧客との対話による部材の選択等を省略して、ビデオカメラ１０を業者の営業所に持ち帰り、インターネット１００を介することなく、シミュレーションシステム３０に接続し、ビデオカメラ１０から現場撮影の画像を転送し、簡易配線系統図および部材イメージデータベース２０１の内容を入力することにより、シミュレーションシステム３０が構造物および内装データベース３０２のデータを参照して現場撮影の画像情報を解析し（ステップＳ１０）、最適施工プラン書を作成するようにすることもできる（ステップＳ１２）。
【００３９】
図４は、施工する配線の系統を示す簡易配線系統図の一例を示す図である。
【００４０】
サーバ１０１、メインハブ１０２および４つのグループハブ１０５を設置し、サーバ１０１とメインハブ１０２の間にケーブル１０４を敷設し、メインハブ１０２とグループハブ１０５それぞれとの間にケーブル１０３を敷設することを示している。
【００４１】
図５は、フロアーの平面図の施工前図面である。
【００４２】
図５のフロアー平面図は、室内１１０、通路１１１および小室１１２に分かていて、室内１１０には４つの机１１３および複数の机が相接して並べられた４つの島１１４が配置されている。一回の撮影では室内１１０のみしか撮影できず、室内１１０のみの撮影画像からは、室内１１０のみの平面図しか作成できないが、室内１１０のみのケーブル敷設を行うときは、それで充分である。室内１１０、通路１１１および小室１１２の全部の平面図が必要な時は、室内１１０の撮影画像、通路１１１の撮影画像および小室１１２の撮影画像それぞれを平面図に変換して、それらの平面図を合わせて全体のフロアー平面図を作成できる。もっとも、構造および内装データベース３０２から建物の図面情報を読み出してフロアー平面図を作製することもできる。
【００４３】
図６は、図５に示したフロアーに図４に示す配線系統図のケーブル１０３を敷設した施工後図面である。
【００４４】
室内１１０の隅にサーバ１０１およびメインハブ１０２を並べて配置し、各島１１４の端にグループハブ１０５を配置するように施工プランの作成者が設定し、さらにケーブル１０３の敷設経路を図のように設定する。
【００４５】
次に、ビデオカメラ１０を移動させながらケーブルの敷設経路を始点Ｐ１から曲がり角Ｐ２までを撮影し、曲がり角Ｐ２でビデオカメラ１０のポイントボタンを押してコーナーポイントを撮影信号中に記録し、さらにビデオカメラ１０を移動させて曲がり角Ｐ２から終点Ｐ３までを撮影し、ケーブル敷設経路１１５（始点Ｐ１〜曲がり角Ｐ２〜終点Ｐ３）を撮影する。次に、分岐点から終点までビデオカメラ１０を移動させてケーブル敷設経路１１６（分岐点Ｐ４〜終点Ｐ５）を撮影する。同様に、ケーブル敷設経路１１７（分岐点Ｐ６〜終点Ｐ７）および１１８（分岐点Ｐ８〜終点Ｐ９）を撮影する。
【００４６】
その後、ケーブル敷設経路１１５〜１１８それぞれを画面展開し、端末２０の表示部に表示し、ケーブル敷設経路１１６、１１７および１１８それぞれに沿って部材イメージデータベース２０１のデータから選択した部材のイメージを貼り付けた画像の情報を端末２０の記憶装置に記憶させる。
【００４７】
次に、端末２０の表示部に図５の施工前図面を表示させ、部材イメージデータベース２０１からサーバ１０１、メインハブ１０２およびグループハブ１０５のイメージを読み出して施工前図面のそれぞれの配置すべき位置に貼り付ける。さらに、部材イメージを貼り付けたケーブル敷設経路１１５〜１１８それぞれの画像を所定の位置に貼り付けて、施工後図面を作成する。
【００４８】
なお、ケーブル敷設経路１１５を始点Ｐ１から曲がり角Ｐ２までと、曲がり角Ｐ２から終点Ｐ３までに分けて別々に２画像として画面展開するようにすれば、コーナーポイントを記録する必要はなくなる。
【００４９】
なお、本発明は、ケーブルの敷設のほかガス管、水道管の敷設等にも適用できる。
【００５０】
【発明の効果】
以上説明したように本発明の敷設工事評価方法およびシステムは、次のような効果がある。
１）最適な施工プランを顧客と共に短時間に作り上げることができる。
２）顧客が求める設備イメージ以上の設備を提供することができ、施工全般的に顧客が想定する工事の態様と実際に施工されるものとの食い違いが発生しない。
３）図面作成などの資料作成工数が大幅に削減でき、タイムリーに工事価格の商談ができる。
４）より現実に近い施工プランが出来上がるので施工ミスがなくなる。
５）端末とシミュレーションシステムとをインターネット等のネットワークを介して接続することにより、２４時間いつでもシミュレーションシステムから離れた遠隔地でも施工プランを作成することができる。
【図面の簡単な説明】
【図１】本発明の実施の形態の敷設工事評価システムのブロック図である。
【図２】図１に示す敷設工事評価システムを用いた敷設工事評価方法の手順を示すフローチャートの前半部分である。
【図３】図１に示す敷設工事評価システムを用いた敷設工事評価方法の手順を示すフローチャートの図２に示す前半部分に続く部分である。
【図４】図２および図３に示す敷設工事評価方法に用いる配線系統図である。
【図５】図２および図３に示す敷設工事評価方法に用いるフロアー全体の平面図である。
【図６】図２および図３に示す敷設工事評価方法で作成する施工後図面である。
【図７】図２および図３に示す敷設工事評価方法で作成する見積書を示す図面である。
【符号の説明】
１０　　ビデオカメラ
２０　　端末
３０　　シミュレーションシステム
１００　　インターネット
１０１　　サーバ
１０２　　メインハブ
１０３　　ケーブル
１０４　　ケーブル
１０５　　グループハブ
１１０　　室内
１１１　　通路
１１２　　小室
２０１　　部材イメージデータベース
３０１　　情報処理装置
３０２　　構造および内装データベース
３０３　　見積積算データベース
【図１】
2004013722.tif 000003
【図２】
2004013722.tif 000004
【図３】
2004013722.tif 000005
【図４】
2004013722.tif 000006
【図５】
2004013722.tif 000007
【図６】
2004013722.tif 000008
【図７】
2004013722.tif 000009